(57)【特許請求の範囲】
【請求項１】
各種の画像を表示する表示手段と、前記表示手段の表示領域内の指示座標を検出する座標検出手段とを備え、前記座標検出手段が検出する指示座標に基づく処理を実行する表示装置であって、
少なくとも１つのボタン画像情報を含んでいる画面情報を複数記憶する記憶部を備え、
前記ボタン画像情報の各々は、複数の前記画面情報の何れかに関連付けられており、
複数の前記画面情報のうちから選択された選択画面情報に基づく画面を前記表示手段に表示させる第１表示制御手段を備え、
前記第１表示制御手段は、前記座標検出手段が検出する指示座標が前記ボタン画像情報に基づくボタン画像の表示領域に対応する座標である場合に、当該指示座標に対応するボタン画像情報に関連付けられている画面情報を前記選択画面情報として選択し、
前記座標検出手段が最後に指示座標を検出してから第１所定時間の間指示座標が検出されないことを条件として、予め定められた特定画面情報に基づく特定画面を前記表示手段に表示させる表示リセット処理を実行する第２表示制御手段を備え、
前記第２表示制御手段は、前記表示リセット処理を実行する第１状態と、前記表示リセット処理を実行しない第２状態との間でリセット設定を切り替え、
前記座標検出手段が検出した指示座標に基づいて、前記指示座標の入力態様を判断する判断手段を備え、
前記第２表示制御手段は、前記リセット設定が前記第１状態である場合に、前記座標検出手段が特定領域内で検出した指示座標に基づいて前記判断手段が判断した入力態様が所定の入力態様であることを条件として、前記リセット設定を前記第２状態に設定するとともに、前記リセット設定が前記第２状態である旨を報知する報知画像を前記特定領域に表示し、
前記第２表示制御手段は、前記リセット設定が前記第２状態である場合に、前記座標検出手段が前記特定領域内で検出した指示座標に基づいて前記判断手段が判断した入力態様が所定の入力態様であることを条件として、前記リセット設定を前記第１状態に設定するとともに、前記報知画像の前記特定領域への表示を終了し、
前記特定領域は、前記表示手段に表示される画面内において、前記ボタン画像情報に基づく前記ボタン画像の表示領域と重複しない領域であり、
前記表示リセット処理が実行されるまでの残存時間を示す残存時間画像を前記特定領域に表示する第３表示制御手段を備え、
前記第３表示制御手段は、
前記座標検出手段によって指示座標が前記特定領域内で検出されるとともに、検出された指示座標の移動が検出された場合に、指示座標の移動方向が予め定められた第１所定方向に対応する場合には指示座標の移動距離に応じて前記残存時間を減少させ、
指示座標の移動方向が前記第１所定方向の反対方向である第２所定方向に対応する場合には指示座標の移動距離に応じて前記残存時間を増加させることを特徴とする表示装置。
【請求項２】
前記第２表示制御手段は、前記リセット設定が前記第２状態である場合に、前記座標検出手段が検出する指示座標が前記ボタン画像の表示領域に対応する座標であることを条件として、前記リセット設定を前記第１状態に設定するとともに、前記報知画像の前記特定領域への表示を終了することを特徴とする請求項１に記載の表示装置。
【請求項３】
指示座標の前記所定の入力態様は、第２所定時間の間、前記特定領域内で指示座標が検出され続ける態様であることを特徴とする請求項１または２に記載の表示装置。
【請求項４】
前記表示手段の表示領域は矩形形状を有しており、
前記特定領域は、矩形形状の前記表示領域の隅部に位置していることを特徴とする請求項１〜３の何れか１項に記載の表示装置。
【請求項５】
各種の画像を表示する表示手段と、前記表示手段の表示領域内の指示座標を検出する座標検出手段と、少なくとも１つのボタン画像情報を含んでいる画面情報を複数記憶する記憶部とを備え、前記座標検出手段が検出する指示座標に基づく処理を実行する表示装置の制御方法であって、
前記ボタン画像情報の各々は、複数の前記画面情報の何れかに関連付けられており、
複数の前記画面情報のうちから選択された選択画面情報に基づく画面を前記表示手段に表示させる第１表示制御ステップを備え、
前記第１表示制御ステップは、前記座標検出手段が検出する指示座標が前記ボタン画像情報に基づくボタン画像の表示領域に対応する座標である場合に、当該指示座標に対応するボタン画像情報に関連付けられている画面情報を前記選択画面情報として選択し、
前記座標検出手段が最後に指示座標を検出してから第１所定時間の間指示座標が検出されないことを条件として、予め定められた特定画面情報に基づく特定画面を前記表示手段に表示させる表示リセット処理を実行する第２表示制御ステップを備え、
前記第２表示制御ステップは、前記表示リセット処理を実行する第１状態と、前記表示リセット処理を実行しない第２状態との間でリセット設定を切り替え、
前記座標検出手段が検出した指示座標に基づいて、前記指示座標の入力態様を判断する判断ステップを備え、
前記第２表示制御ステップは、前記リセット設定が前記第１状態である場合に、前記座標検出手段が特定領域内で検出した指示座標に基づいて前記判断ステップが判断した入力態様が所定の入力態様であることを条件として、前記リセット設定を前記第２状態に設定するとともに、前記リセット設定が前記第２状態である旨を報知する報知画像を前記特定領域に表示し、
前記第２表示制御ステップは、前記リセット設定が前記第２状態である場合に、前記座標検出手段が前記特定領域内で検出した指示座標に基づいて前記判断ステップが判断した入力態様が所定の入力態様であることを条件として、前記リセット設定を前記第１状態に設定するとともに、前記報知画像の前記特定領域への表示を終了し、
前記特定領域は、前記表示手段に表示される画面内において、前記ボタン画像情報に基づく前記ボタン画像の表示領域と重複しない領域であり、
前記表示リセット処理が実行されるまでの残存時間を示す残存時間画像を前記特定領域に表示する第３表示制御ステップをさらに備え、
前記第３表示制御ステップは、
前記座標検出手段によって指示座標が前記特定領域内で検出されるとともに、検出された指示座標の移動が検出された場合に、指示座標の移動方向が予め定められた第１所定方向に対応する場合には指示座標の移動距離に応じて前記残存時間を減少させ、
指示座標の移動方向が前記第１所定方向の反対方向である第２所定方向に対応する場合には指示座標の移動距離に応じて前記残存時間を増加させることを特徴とする制御方法。
【請求項６】
各種の画像を表示する表示手段と、前記表示手段の表示領域内の指示座標を検出する座標検出手段と、少なくとも１つのボタン画像情報を含んでいる画面情報を複数記憶する記憶部とを備え、前記座標検出手段が検出する指示座標に基づく処理を実行する表示装置のコンピュータが読み取り可能なプログラムであって、
前記ボタン画像情報の各々は、複数の前記画面情報の何れかに関連付けられており、
前記コンピュータを、複数の前記画面情報のうちから選択された選択画面情報に基づく画面を前記表示手段に表示させる第１表示制御手段として機能させ、
前記第１表示制御手段は、前記座標検出手段が検出する指示座標が前記ボタン画像情報に基づくボタン画像の表示領域に対応する座標である場合に、当該指示座標に対応するボタン画像情報に関連付けられている画面情報を前記選択画面情報として選択し、
前記コンピュータを、前記座標検出手段が最後に指示座標を検出してから第１所定時間の間指示座標が検出されないことを条件として、予め定められた特定画面情報に基づく特定画面を前記表示手段に表示させる表示リセット処理を実行する第２表示制御手段として機能させ、
前記第２表示制御手段は、前記表示リセット処理を実行する第１状態と、前記表示リセット処理を実行しない第２状態との間でリセット設定を切り替え、
前記コンピュータを、前記座標検出手段が検出した指示座標に基づいて、前記指示座標の入力態様を判断する判断手段として機能させ、
前記第２表示制御手段は、前記リセット設定が前記第１状態である場合に、前記座標検出手段が特定領域内で検出した指示座標に基づいて前記判断手段が判断した入力態様が所定の入力態様であることを条件として、前記リセット設定を前記第２状態に設定するとともに、前記リセット設定が前記第２状態である旨を報知する報知画像を前記特定領域に表示し、
前記第２表示制御手段は、前記リセット設定が前記第２状態である場合に、前記座標検出手段が前記特定領域内で検出した指示座標に基づいて前記判断手段が判断した入力態様が所定の入力態様であることを条件として、前記リセット設定を前記第１状態に設定するとともに、前記報知画像の前記特定領域への表示を終了し、
前記特定領域は、前記表示手段に表示される画面内において、前記ボタン画像情報に基づく前記ボタン画像の表示領域と重複しない領域であり、
前記コンピュータを、前記表示リセット処理が実行されるまでの残存時間を示す残存時間画像を前記特定領域に表示する第３表示制御手段として機能させ、
前記第３表示制御手段は、
前記座標検出手段によって指示座標が前記特定領域内で検出されるとともに、検出された指示座標の移動が検出された場合に、指示座標の移動方向が予め定められた第１所定方向に対応する場合には指示座標の移動距離に応じて前記残存時間を減少させ、
指示座標の移動方向が前記第１所定方向の反対方向である第２所定方向に対応する場合には指示座標の移動距離に応じて前記残存時間を増加させることを特徴とするプログラム。
【発明の詳細な説明】
【技術分野】
【０００１】
本願は、各種の画像を表示する表示装置、表示装置の制御方法およびプログラムに関する。
【背景技術】
【０００２】
１つの操作画面に対して多くの情報を表示するための工夫として、例えば、階層構造のメニュー表示化を行う方法がある。階層構造では、ある階層の表示画面内のボタン画像を選択すると次の階層の画面に遷移する。次の階層の画面には、別のボタン画像が複数表示される。また、待機画面が予め設定されており、ある階層の表示画面が表示されている状態で一定時間操作をしない場合には、表示内容が待機画面に戻る機能（画面自動復帰機能）を有する画像形成装置が開示されている。
【先行技術文献】
【特許文献】
【０００３】
【特許文献１】特開特開平１０−２６０６７６号公報
【発明の概要】
【発明が解決しようとする課題】
【０００４】
ある階層の表示画面が表示されている状態で、一定時間操作をしない場合においても、表示内容が待機画面に戻らないように画面表示を制御したい場合が存在する。例えば、ある階層の表示画面が表示されている状態で、他の作業を行う場合などである。このような場合に画面自動復帰機能が動作すると、表示装置の使い勝手が良いとは言えない。本明細書では、このような不便性を解消することができる技術を提供する。
【課題を解決するための手段】
【０００５】
本願に記載の表示装置は、各種の画像を表示する表示手段と、表示手段の表示領域内の指示座標を検出する座標検出手段とを備え、座標検出手段が検出する指示座標に基づく処理を実行する表示装置であって、少なくとも１つのボタン画像情報を含んでいる画面情報を複数記憶する記憶部を備え、ボタン画像情報の各々は、複数の画面情報の何れかに関連付けられており、複数の画面情報のうちから選択された選択画面情報に基づく画面を表示手段に表示させる第１表示制御手段を備え、第１表示制御手段は、座標検出手段が検出する指示座標がボタン画像情報に基づくボタン画像の表示領域に対応する座標である場合に、当該指示座標に対応するボタン画像情報に関連付けられている画面情報を選択画面情報として選択し、座標検出手段が最後に指示座標を検出してから第１所定時間の間指示座標が検出されないことを条件として、予め定められた特定画面情報に基づく特定画面を表示手段に表示させる表示リセット処理を実行する第２表示制御手段を備え、第２表示制御手段は、表示リセット処理を実行する第１状態と、表示リセット処理を実行しない第２状態との間でリセット設定を切り替え、座標検出手段が検出した指示座標に基づいて、指示座標の入力態様を判断する判断手段を備え、第２表示制御手段は、リセット設定が第１状態である場合に、座標検出手段が特定領域内で検出した指示座標に基づいて判断手段が判断した入力態様が所定の入力態様であることを条件として、リセット設定を第２状態に設定するとともに、リセット設定が第２状態である旨を報知する報知画像を特定領域に表示し、第２表示制御手段は、リセット設定が第２状態である場合に、座標検出手段が特定領域内で検出した指示座標に基づいて判断手段が判断した入力態様が所定の入力態様であることを条件として、リセット設定を第１状態に設定するとともに、報知画像の特定領域への表示を終了し、特定領域は、表示手段に表示される画面内において、ボタン画像情報に基づくボタン画像の表示領域と重複しない領域であり、表示リセット処理が実行されるまでの残存時間を示す残存時間画像を特定領域に表示する第３表示制御手段を備え、第３表示制御手段は、座標検出手段によって指示座標が特定領域内で検出されるとともに、検出された指示座標の移動が検出された場合に、指示座標の移動方向が予め定められた第１所定方向に対応する場合には指示座標の移動距離に応じて残存時間を減少させ、指示座標の移動方向が第１所定方向の反対方向である第２所定方向に対応する場合には指示座標の移動距離に応じて残存時間を増加させることを特徴とする。
【０００６】
本願に記載の表示装置では、リセット設定が表示リセット処理を実行する第１状態である場合に、特定領域に所定の入力態様の指示座標を入力することで、表示リセット処理を実行しない第２状態にリセット設定を設定することができる。また、リセット設定が第２状態である場合に、特定領域に所定の入力態様の指示座標を入力することで、リセット設定を第１状態に設定することができる。これにより、表示リセット処理の実行の有無を容易に設定することができるため、ユーザの利便性を向上させることができる。また本願に記載の表示装置では、リセット設定が第２状態である期間中において、第２状態である旨を報知する報知画像を特定領域に表示する。これにより、表示リセット処理の実行の有無をユーザに認識させることができるため、ユーザの利便性を向上させることができる。
【０００７】
請求項２に記載の表示装置では、リセット設定が表示リセット処理を実行しない第２状態に設定されている場合に、現在表示されている画面と別の画面を表示させる操作が行われると、表示リセット処理を実行する第１状態に自動的に復帰する。これにより、リセット設定が表示リセット処理を実行しない第２状態に設定され続けてしまう事態を防止することができる。
【０００８】
請求項３に記載の表示装置によれば、特定領域に第２所定時間の間指示座標を入力することで、リセット設定を第１状態または第２状態に設定することができる。これにより、特定領域に誤って指示座標が入力されてしまった場合に、リセット設定がユーザの意図に反した状態に設定されてしまう事態を防止することができる。
【０００９】
本明細書に記載の表示装置によれば、表示リセット処理が実行されるまでの残存時間を視覚的にユーザに認識させることができるため、ユーザの利便性を高めることができる。
【００１０】
本明細書に記載の表示装置によれば、指示座標を移動させるという直感的な操作により、表示リセット処理が実行されるまでの残存時間を変更することが可能となるため、ユーザの利便性を高めることができる。
【００１１】
請求項４に記載の表示装置によれば、表示領域のうち、使用頻度が低い領域を特定領域として使用することができるため、表示領域を有効利用することが可能となる。
【００１２】
なお、上記の表示装置を実現するための制御方法、コンピュータプログラム、及び、当該コンピュータプログラムを格納するコンピュータ読取可能記録媒体も、新規で有用である。
以下に、本明細書に記載の技術の特徴を列挙する。
［特徴１］
各種の画像を表示する表示手段と、前記表示手段の表示領域内の指示座標を検出する座標検出手段とを備え、前記座標検出手段が検出する指示座標に基づく処理を実行する表示装置であって、
少なくとも１つのボタン画像情報を含んでいる画面情報を複数記憶する記憶部を備え、
前記ボタン画像情報の各々は、複数の前記画面情報の何れかに関連付けられており、
複数の前記画面情報のうちから選択された選択画面情報に基づく画面を前記表示手段に表示させる第１表示制御手段を備え、
前記第１表示制御手段は、前記座標検出手段が検出する指示座標が前記ボタン画像情報に基づくボタン画像の表示領域に対応する座標である場合に、当該指示座標に対応するボタン画像情報に関連付けられている画面情報を前記選択画面情報として選択し、
前記座標検出手段が最後に指示座標を検出してから第１所定時間の間指示座標が検出されないことを条件として、予め定められた特定画面情報に基づく特定画面を前記表示手段に表示させる表示リセット処理を実行する第２表示制御手段を備え、
前記第２表示制御手段は、前記表示リセット処理を実行する第１状態と、前記表示リセット処理を実行しない第２状態との間でリセット設定を切り替え、
前記第２表示制御手段は、前記リセット設定が前記第１状態である場合に、前記座標検出手段が特定領域内で検出する指示座標が所定の入力態様であることを条件として、前記リセット設定を前記第２状態に設定するとともに、前記リセット設定が前記第２状態である旨を報知する報知画像を前記特定領域に表示し、
前記第２表示制御手段は、前記リセット設定が前記第２状態である場合に、前記座標検出手段が前記特定領域内で検出する指示座標が所定の入力態様であることを条件として、前記リセット設定を前記第１状態に設定するとともに、前記報知画像の前記特定領域への表示を終了し、
前記特定領域は、前記表示手段に表示される画面内において、前記ボタン画像情報に基づく前記ボタン画像の表示領域と重複しない領域であることを特徴とする表示装置。
［特徴２］
前記第２表示制御手段は、前記リセット設定が前記第２状態である場合に、前記座標検出手段が検出する指示座標が前記ボタン画像の表示領域に対応する座標であることを条件として、前記リセット設定を前記第１状態に設定するとともに、前記報知画像の前記特定領域への表示を終了することを特徴とする特徴１に記載の表示装置。
［特徴３］
指示座標の前記所定の入力態様は、第２所定時間の間、前記特定領域内で指示座標が検出され続ける態様であることを特徴とする特徴１または２に記載の表示装置。
［特徴４］
前記表示リセット処理が実行されるまでの残存時間を示す残存時間画像を前記特定領域に表示する第３表示制御手段をさらに備えることを特徴とする特徴１〜３の何れか１項に記載の表示装置。
［特徴５］
前記第３表示制御手段は、
前記座標検出手段によって指示座標が前記特定領域内で検出されるとともに、検出された指示座標の移動が検出された場合に、指示座標の移動方向が予め定められた第１所定方向に対応する場合には指示座標の移動距離に応じて前記残存時間を減少させ、
指示座標の移動方向が前記第１所定方向の反対方向である第２所定方向に対応する場合には指示座標の移動距離に応じて前記残存時間を増加させることを特徴とする特徴４に記載の表示装置。
［特徴６］
前記表示手段の表示領域は矩形形状を有しており、
前記特定領域は、矩形形状の前記表示領域の隅部に位置していることを特徴とする特徴１〜５の何れか１項に記載の表示装置。
［特徴７］
各種の画像を表示する表示手段と、前記表示手段の表示領域内の指示座標を検出する座標検出手段と、少なくとも１つのボタン画像情報を含んでいる画面情報を複数記憶する記憶部とを備え、前記座標検出手段が検出する指示座標に基づく処理を実行する表示装置の制御方法であって、
前記ボタン画像情報の各々は、複数の前記画面情報の何れかに関連付けられており、
複数の前記画面情報のうちから選択された選択画面情報に基づく画面を前記表示手段に表示させる第１表示制御ステップを備え、
前記第１表示制御ステップは、前記座標検出手段が検出する指示座標が前記ボタン画像情報に基づくボタン画像の表示領域に対応する座標である場合に、当該指示座標に対応するボタン画像情報に関連付けられている画面情報を前記選択画面情報として選択し、
前記座標検出手段が最後に指示座標を検出してから第１所定時間の間指示座標が検出されないことを条件として、予め定められた特定画面情報に基づく特定画面を前記表示手段に表示させる表示リセット処理を実行する第２表示制御ステップを備え、
前記第２表示制御ステップは、前記表示リセット処理を実行する第１状態と、前記表示リセット処理を実行しない第２状態との間でリセット設定を切り替え、
前記第２表示制御ステップは、前記リセット設定が前記第１状態である場合に、前記座標検出手段が特定領域内で検出する指示座標が所定の入力態様であることを条件として、前記リセット設定を前記第２状態に設定するとともに、前記リセット設定が前記第２状態である旨を報知する報知画像を前記特定領域に表示し、
前記第２表示制御ステップは、前記リセット設定が前記第２状態である場合に、前記座標検出手段が前記特定領域内で検出する指示座標が所定の入力態様であることを条件として、前記リセット設定を前記第１状態に設定するとともに、前記報知画像の前記特定領域への表示を終了し、
前記特定領域は、前記表示手段に表示される画面内において、前記ボタン画像情報に基づく前記ボタン画像の表示領域と重複しない領域であることを特徴とする制御方法。
［特徴８］
各種の画像を表示する表示手段と、前記表示手段の表示領域内の指示座標を検出する座標検出手段と、少なくとも１つのボタン画像情報を含んでいる画面情報を複数記憶する記憶部とを備え、前記座標検出手段が検出する指示座標に基づく処理を実行する表示装置のコンピュータが読み取り可能なプログラムであって、
前記ボタン画像情報の各々は、複数の前記画面情報の何れかに関連付けられており、
前記コンピュータを、複数の前記画面情報のうちから選択された選択画面情報に基づく画面を前記表示手段に表示させる第１表示制御手段として機能させ、
前記第１表示制御手段は、前記座標検出手段が検出する指示座標が前記ボタン画像情報に基づくボタン画像の表示領域に対応する座標である場合に、当該指示座標に対応するボタン画像情報に関連付けられている画面情報を前記選択画面情報として選択し、
前記コンピュータを、前記座標検出手段が最後に指示座標を検出してから第１所定時間の間指示座標が検出されないことを条件として、予め定められた特定画面情報に基づく特定画面を前記表示手段に表示させる表示リセット処理を実行する第２表示制御手段として機能させ、
前記第２表示制御手段は、前記表示リセット処理を実行する第１状態と、前記表示リセット処理を実行しない第２状態との間でリセット設定を切り替え、
前記第２表示制御手段は、前記リセット設定が前記第１状態である場合に、前記座標検出手段が特定領域内で検出する指示座標が所定の入力態様であることを条件として、前記リセット設定を前記第２状態に設定するとともに、前記リセット設定が前記第２状態である旨を報知する報知画像を前記特定領域に表示し、
前記第２表示制御手段は、前記リセット設定が前記第２状態である場合に、前記座標検出手段が前記特定領域内で検出する指示座標が所定の入力態様であることを条件として、前記リセット設定を前記第１状態に設定するとともに、前記報知画像の前記特定領域への表示を終了し、
前記特定領域は、前記表示手段に表示される画面内において、前記ボタン画像情報に基づく前記ボタン画像の表示領域と重複しない領域であることを特徴とするプログラム。
【図面の簡単な説明】
【００１３】
【図１】多機能機の外観図および構成図である。
【図２】多機能機の動作を示すフローチャート（その１）である。
【図３】多機能機の動作を示すフローチャート（その２）である。
【図４】多機能機の動作を示すフローチャート（その３）である。
【図５】テーブル例である。
【図６】表示パネルの表示例（その１）である。
【図７】表示パネルの表示例（その２）である。
【図８】表示パネルの表示例（その３）である。
【図９】表示パネルの表示例（その４）である。
【発明を実施するための形態】
【００１４】
＜実施例＞
図１に、本願に係る実施例として例示される多機能機１０（Multifunction Peripheral（ＭＦＰ）ともいう）のブロック図を示す。
【００１５】
＜多機能機１０の構成＞
多機能機１０は、プリンタ機能、スキャナ機能、コピー機能、ファクシミリ機能、電話機能などを有する装置である。多機能機１０は、制御部１２、パネル５０、座標検出部５１、ハードキー５２、印刷部５４、スキャン部５６、ＦＡＸ部５８、ネットワークインターフェイス６０、無線ＬＡＮ通信部６１、報知部６２、等を備える。制御部１２は、ＣＰＵ１４、ＲＯＭ１６、ＲＡＭ３０、ＮＶＲＡＭ（Non Volatile RAM）４０、第１タイマ４１、第２タイマ４２、等を有する。
【００１６】
ＣＰＵ１４は、ＲＯＭ１６に記憶されているプログラムに従って様々な処理を実行する。ＣＰＵ１４が実行する処理については、後で詳しく説明する。ＲＯＭ１６は、多機能機１０の基本的な動作を制御するための基本機能プログラム１８を記憶している。
【００１７】
ＲＡＭ３０は、揮発性のメモリであり、基本機能プログラム１８に従って処理が実行される過程で生成される各種データを記憶するための記憶領域である。記憶されるデータの例としては、表示実行画面ＩＤが挙げられる。表示実行画面ＩＤは、複数の画面情報ＩＤ１０１の各々で識別される複数の画面のうち、何れの画面をパネル５０に表示するか、についてのポインタとして機能するデータである。
【００１８】
ＮＶＲＡＭ４０には、各種のパラメータが記憶されている。記憶されるパラメータの例としては、リセット時間、長押し時間、報知開始時間、アラーム時間が挙げられる。リセット時間は、後述する表示リセット処理を開始させる際に用いられる時間である。長押し時間は、ロック領域Ａ１に「長押し」の入力態様で指示座標が入力されたか否かを判断するための時間である。報知開始時間は、ロック領域Ａ１へ時間表示バーの表示を開始する時間である。アラーム時間は、第１タイマ４１の残存時間が少なくなった旨を報知するアラームを所定時間鳴動させるために用いられる時間である。
【００１９】
また、ＮＶＲＡＭ４０には、テーブルＴＢ１が記憶されている。テーブルＴＢ１は、パネル５０に切り替え可能に表示される複数の画面の各々について、各種の情報を記憶するテーブルである。図５に、本実施形態におけるテーブルＴＢ１の一例を示す。テーブルＴＢ１は、画面情報ＩＤ１０１、領域情報ＩＤ１０２、領域情報１０３、ボタン画像内容１０４、遷移先画面情報ＩＤ１０５、領域座標１０６、リセット有無１０７、リセット設定１０８、ホーム画面設定１０９を記憶する。
【００２０】
画面情報ＩＤ１０１を説明する。パネル５０には、階層構造を有する複数の画面が、互いに切り替えられながら表示される。画面情報ＩＤ１０１は、当該複数の画面の各々を識別する情報である。複数の画面の各々は、画面情報ＩＤ１０１の各欄に記憶されている情報に基づいて表示される。
【００２１】
領域情報ＩＤ１０２は、画面情報ＩＤ１０１に基づいて表示される１つの画面内における、各種の領域を識別するための情報である。領域情報１０３は、領域情報ＩＤ１０２で識別される各領域の内容を示す情報である。領域情報１０３が「ボタン画像情報」である場合には、領域情報ＩＤ１０２で識別される領域にボタンが表示されることを示している。領域情報１０３が「ロック領域情報」である場合には、領域情報ＩＤ１０２で識別される領域にロック領域が設定されることを示している。
【００２２】
ボタン画像内容１０４は、領域情報１０３が「ボタン画像情報」である場合に、ボタン画像情報に基づいてパネル５０表示されるボタン画像の内容を示す情報である。
【００２３】
遷移先画面情報ＩＤ１０５は、ボタン画像情報が、画面遷移に用いられるボタン画像情報である場合に、遷移先の画面情報ＩＤ１０１を示す情報である。すなわち遷移先画面情報ＩＤ１０５によって、ボタン画像情報が、画面情報ＩＤ１０１の何れかに関連付けられている。
【００２４】
領域座標１０６は、領域情報ＩＤ１０２で識別される各領域の、パネル５０上での表示領域を示す情報である。座標Ｃ１は、矩形形状の表示領域の左上隅部を示す座標である。座標Ｃ２は、矩形形状の表示領域の右下隅部を示す座標である。
【００２５】
リセット有無１０７は、画面情報ＩＤ１０１で特定される画面が、表示リセット処理を実行する画面であるか否かを識別するための情報である。表示リセット処理は、座標検出部５１が最後に指示座標の入力を検出してから、リセット時間の間指示座標の入力が検出されない場合（Ｓ１３２：Ｙ）に、ホーム画面をパネル５０に表示させる、という処理である。
【００２６】
リセット設定１０８は、表示リセット処理を実行する「画面ロック無し状態」と、表示リセット処理を実行しない「画面ロック有り状態」との間で、画面情報ＩＤ１０１で特定される画面の設定を切り替える情報である。
【００２７】
ホーム画面設定１０９は、画面情報ＩＤ１０１のうちの何れをホーム画面に設定するかの情報である。ホーム画面は、電源投入時に最初に表示される画面である。またホーム画面は、表示リセット処理の実行によってパネル５０に表示される画面である。テーブルＴＢ１に記憶される各種の情報は、予め多機能機１０の製造者によって記憶されてもよい。
【００２８】
第１タイマ４１は、リセット時間の経過を検出するタイマである。第２タイマ４２は、長押し時間を検出するタイマである。印刷部５４は、印刷を実行する部位である。スキャン部５６は、原稿を読み取ってデータ化する部位である。ＦＡＸ部５８は、データ化された原稿を送受信する部位である。ネットワークインターフェイス６０は、有線ＬＡＮ回線４に接続されており、各種のデータを送受信する部位である。無線ＬＡＮ通信部６１は、無線ＬＡＮ通信によってアクセスポイント（不図示）と各種の通信を実行する部位である。報知部６２は、アラーム音を発生する部位である。
【００２９】
図１に示すように、多機能機１０の上面正面側には、パネル５０が設けられている。パネル５０は、各種の画像を表示する部位である。パネル５０の表面には、透明な平板部を有する座標検出部５１が、パネル５０を覆うように備えられている。座標検出部５１は、ユーザの指や、スタイラス（タッチパネル用ペン）が接触または接近された指示座標を検出する機能を有する。パネル５０および座標検出部５１は、いわゆるタッチパネルとして機能する。パネル５０には、基本機能プログラム１８のＡＰＩ（Application Program Interface）を用いて、各種の画像が表示される。
【００３０】
図６〜図８に、パネル５０に表示される画面の表示例を示す。図６に、テーブルＴＢ１（図５）の画面情報ＩＤ１０１＝「１」の情報に基づいて表示される、ホーム画面Ｐ１を示す。ホーム画面Ｐ１では、ボタン画像として、「ウェブ」ボタンＢ１、「ディスク」ボタンＢ２、「メニュー」ボタンＢ３、が表示される。また、日付情報および時間情報が表示される。
【００３１】
「ウェブ」ボタンＢ１は、領域情報ＩＤ１０２＝「１」の情報（領域情報１０３＝「ボタン画像情報」、ボタン画像内容１０４＝「ウェブ」）に基づいて表示されるボタン画像である。「ウェブ」ボタンＢ１は、インターネット上に保存されているデータを用いて多機能機１０を動作させるための画面を、パネル５０に表示させるためのボタンである。「ディスク」ボタンＢ２は、領域情報ＩＤ１０２＝「２」の情報（領域情報１０３＝「ボタン画像情報」、ボタン画像内容１０４＝「ディスク」）に基づいて表示されるボタン画像である。「ディスク」ボタンＢ２は、ディスク形状の記録媒体の印刷面に画像を印刷するための画面を、パネル５０に表示させるためのボタンである。「メニュー」ボタンＢ３は、領域情報ＩＤ１０２＝「３」の情報（領域情報１０３＝「ボタン画像情報」、ボタン画像内容１０４＝「メニュー」）に基づいて表示されるボタン画像である。「メニュー」ボタンＢ３は、多機能機１０の各種の設定を行うための画面（例：メニュー画面Ｐ２（図７））をパネル５０に表示させるためのボタンである。
【００３２】
また、領域情報ＩＤ１０２＝「３」の欄の遷移先画面情報ＩＤ１０５は、「２」となっている。これにより、「メニュー」ボタンＢ３には、画像情報ＩＤ１０１＝「２」の画面（メニュー画面Ｐ２、図７）が関連付けられていることが分かる。なお、「ウェブ」ボタンＢ１に対しても、画像情報ＩＤ１０１＝「３」の画面（不図示）が関連付けられている。また、「ディスク」ボタンＢ２に対しても、画像情報ＩＤ１０１＝「４」の画面（不図示）が関連付けられている。
【００３３】
図７に、テーブルＴＢ１（図５）の画面情報ＩＤ１０１＝「２」の情報に基づいて表示される、メニュー画面Ｐ２を示す。メニュー画面Ｐ２は、多機能機１０の各種機能に関するパラメータ設定を行うための画像である。メニュー画面Ｐ２では、ボタン画像として、「一般設定」ボタンＢ４、「ファックス」ボタンＢ５、「ネットワーク」ボタンＢ６、が表示される。
【００３４】
「一般設定」ボタンＢ４は、領域情報ＩＤ１０２＝「４」の情報（領域情報１０３＝「ボタン画像情報」、ボタン画像内容１０４＝「一般設定」）に基づいて表示されるボタン画像である。「一般設定」ボタンＢ４は、多機能機１０の各種の設定を行うための設定画面をパネル５０に表示させるためのボタンである。「ファックス」ボタンＢ５は、領域情報ＩＤ１０２＝「５」の情報（領域情報１０３＝「ボタン画像情報」、ボタン画像内容１０４＝「ファックス」）に基づいて表示されるボタン画像である。「ファックス」ボタンＢ５は、ファックス機能を実行するための画面をパネル５０に表示させるためのボタンである。「ネットワーク」ボタンＢ６は、領域情報ＩＤ１０２＝「６」の情報（領域情報１０３＝「ボタン画像情報」、ボタン画像内容１０４＝「ネットワーク」）に基づいて表示されるボタン画像である。「ネットワーク」ボタンＢ６は、インターネット上に保存されているデータを用いて多機能機１０を動作させるための画面を、パネル５０に表示させるためのボタンである。
【００３５】
またメニュー画面Ｐ２では、ロック領域Ａ１が設定される。ロック領域Ａ１は、領域情報ＩＤ１０２＝「７」の情報（領域情報１０３＝「ロック領域情報」）に基づいて設定される。ロック領域Ａ１は、パネル５０に表示される画面内において、「一般設定」ボタンＢ４、「ファックス」ボタンＢ５、「ネットワーク」ボタンＢ６の表示領域と重複しない領域である。またメニュー画面Ｐ２が、表示リセット処理を実行しない「画面ロック有り状態」である場合には、ロック領域Ａ１には報知画像Ｇ１が表示される（図８）。報知画像Ｇ１は、現在パネル５０に表示中の画面が「画面ロック有り状態」である旨を、ユーザに報知するための画像である。報知画像Ｇ１は様々な画像であってよく、例えば押しピンの画像であってもよい。
【００３６】
＜多機能機１０の動作＞
多機能機１０の動作について、図２から図４のフローチャートを用いて説明する。図２から図４のフローは、多機能機１０の電源がオンされることにより開始され、電源がオフされるまで実行され続ける。
【００３７】
図２のフローを説明する。Ｓ１１０においてＣＰＵ１４は、ＲＡＭ３０に記憶される表示実行画面ＩＤを、ホーム画面の画面情報ＩＤ１０１に設定する。Ｓ１１２において、ＣＰＵ１４は、表示実行画面ＩＤに設定されている画面情報ＩＤ１０１に対応する画面を、パネル５０に表示する。
【００３８】
Ｓ１１４において、ＣＰＵ１４は、第１タイマ４１をリセット時間に設定する。第１タイマ４１は、設定されたリセット時間からのカウントダウンを開始する。Ｓ１１６において、ＣＰＵ１４は、パネル５０にタッチ入力が行われたか否かを判断する。タッチ入力が行われていない場合（Ｓ１１６：ＮＯ）には、Ｓ１１８へ進む。
【００３９】
Ｓ１１８において、ＣＰＵ１４は、現在パネル５０に表示されている画面は、表示リセット処理の対象の画面であるか否かを判断する。具体的には、現在表示中の画面の画面情報ＩＤ１０１の欄（テーブルＴＢ１）において、リセット有無１０７が「リセット有り」または「リセット無し」の何れに設定されているかを読み出す。表示リセットの対象ではない場合（Ｓ１１８：ＮＯ）にはＳ１１６へ戻り、表示リセットの対象である場合（Ｓ１１８：ＹＥＳ）にはＳ１２０へ進む。
【００４０】
Ｓ１２０においてＣＰＵ１４は、現在表示中の画面が、画面ロックされているか否かを判断する。具体的には、現在表示中の画面の画面情報ＩＤ１０１の欄（テーブルＴＢ１）において、リセット設定１０８が、「画面ロック有り状態」または「画面ロック無し状態」の何れに設定されているかを読み出す。画面ロックされている場合（Ｓ１２０：ＹＥＳ）にはＳ１１６へ戻り、画面ロックされていない場合（Ｓ１２０：ＮＯ）にはＳ１２４へ進む。Ｓ１２４において、ＣＰＵ１４は、第１タイマ４１の残り時間が報知開始時間よりも少ないか否かを判断する。報知開始時間よりも多い場合（Ｓ１２４：ＮＯ）にはＳ１１６へ戻り、報知開始時間よりも少ない場合（Ｓ１２４：ＹＥＳ）にはＳ１２６へ進む。
【００４１】
Ｓ１２６において、ＣＰＵ１４は、時間表示バーをロック領域Ａ１に表示する。時間表示バーの長さは、表示リセット処理が実行されるまでの残存時間（第１タイマ４１の残り時間）に応じた長さとされる。
【００４２】
Ｓ１２８において、ＣＰＵ１４は、第１タイマ４１の残存時間がアラーム時間と等しいか否かを判断する。残存時間がアラーム時間と等しい場合（Ｓ１２８：ＹＥＳ）にはＳ１３０へ進み、ＣＰＵ１４は、報知部６２にアラームを所定時間鳴動させる。そしてＳ１１６へ戻る。一方Ｓ１２８において、第１タイマ４１の残存時間がアラーム時間と等しくない場合（Ｓ１２８：ＮＯ）には、Ｓ１３２へ進む。Ｓ１３２において、ＣＰＵ１４は、第１タイマ４１の残存時間が０秒であるか否かを判断する。０秒ではない場合（Ｓ１３２：ＮＯ）にはＳ１１６へ戻り、０秒である場合（Ｓ１３２：ＹＥＳ）にはＳ１３４へ進む。
【００４３】
Ｓ１３４において、ＣＰＵ１４は、ＲＡＭ３０に記憶される表示実行画面ＩＤを、ホーム画面の画面情報ＩＤ１０１に設定する。そしてＳ１１２へ戻る。これにより、座標検出部５１が最後に指示座標を検出してからリセット時間（５００秒）の間指示座標が検出されないことを条件として（Ｓ１３２：Ｙ）、ホーム画面をパネル５０に表示させる表示リセット処理が実行される（Ｓ１３４、Ｓ１１２）。
【００４４】
一方、Ｓ１１６において、パネル５０にタッチ入力が行われたと判断された場合（Ｓ１１６：ＹＥＳ）には、Ｓ１５２（図３）へ進む。Ｓ１５２において、ＣＰＵ１４は、タッチ入力が行われた位置に応じた指示座標を取得する。具体的には、ＣＰＵ１４は、タッチ点の指示座標を座標検出部５１から取得する。
【００４５】
Ｓ１５４において、ＣＰＵ１４は、指示座標に対応する領域情報ＩＤ１０２を取得できたか否かを判断する。具体的には、Ｓ１５２で取得した指示座標が、現在表示中の画面の画面情報ＩＤ１０１の欄における、領域座標１０６で示される複数の領域の何れかの領域内であるか否かを判断する。領域座標１０６で示される複数の領域の何れにも指示座標が入力されていない場合（Ｓ１５４：ＮＯ）にはＳ１１４へ進み、複数の領域の何れかに指示座標が入力された場合（Ｓ１５４：ＹＥＳ）にはＳ１５６へ進む。
【００４６】
Ｓ１５６においてＣＰＵ１４は、Ｓ１５４で取得した領域情報ＩＤ１０２に対応する領域情報１０３が、「ボタン画像情報」であるか否かを判断する。「ボタン画像情報」である場合（Ｓ１５６：ＹＥＳ）には、ボタン画像の何れかがタッチされたと判断され、Ｓ１５８へ進む。
【００４７】
Ｓ１５８において、ＣＰＵ１４は、タッチされたボタン画像は、画面遷移に用いられるボタン画像であるか否かを判断する。具体的には、Ｓ１５４で取得した領域情報ＩＤ１０２に対応する遷移先画面情報ＩＤ１０５に、遷移先の画面情報ＩＤ１０１が記憶されているか否かを判断する。タッチされたボタン画像が画面遷移に用いられないボタン画像である場合（Ｓ１５８：ＮＯ）にはＳ１６２へ進み、ＣＰＵ１４は、タッチされたボタン画像に応じた処理を実行する。一方、タッチされたボタン画像が画面遷移に用いられるボタン画像である場合（Ｓ１５８：ＹＥＳ）には、Ｓ１６０へ進む。
【００４８】
Ｓ１６０において、ＣＰＵ１４は、ＲＡＭ３０に記憶される表示実行画面ＩＤを、タッチされたボタン画像に関連付けられている画面情報ＩＤ１０１（遷移先画面情報ＩＤ１０５として記憶されている画面情報ＩＤ１０１）に設定する。Ｓ１６３において、ＣＰＵ１４は、表示実行画面ＩＤに設定されている画面情報ＩＤ１０１に対応する画面が、表示リセット処理の対象の画面であるか否かを判断する。具体的には、表示実行画面ＩＤに設定されている画面情報ＩＤ１０１の欄（テーブルＴＢ１）において、リセット有無１０７が「リセット有り」または「リセット無し」の何れに設定されているかを読み出す。表示リセットの対象ではない場合（Ｓ１６３：ＮＯ）にはＳ１１２（図２）へ戻り、表示リセットの対象である場合（Ｓ１６３：ＹＥＳ）にはＳ１６４へ進む。
【００４９】
Ｓ１６４においてＣＰＵ１４は、現在表示中の画面が、画面ロックされているか否かを判断する。具体的な判断方法は、Ｓ１２０で説明した方法と同様であるため、説明を省略する。画面ロックされていない場合（Ｓ１６４：ＮＯ）にはＳ１１２（図２）へ戻り、画面ロックされている場合（Ｓ１６４：ＹＥＳ）にはＳ１６６へ進む。
【００５０】
Ｓ１６６において、ＣＰＵ１４は、画面ロックを解除する。具体的には、現在表示中の画面の画面情報ＩＤ１０１の欄（テーブルＴＢ１）において、リセット設定１０８を「画面ロック無し状態」に切り替える。Ｓ１６８において、ＣＰＵ１４は、ロック領域Ａ１に表示されていた報知画像Ｇ１を消去する。そしてＳ１１２（図２）へ戻る。
【００５１】
一方、Ｓ１５６において、取得した領域情報ＩＤ１０２に対応する領域情報１０３が「ボタン画像情報」ではない場合（Ｓ１５６：ＮＯ）には、ボタン画像以外がタッチされたと判断され、Ｓ１７２（図４）へ進む。Ｓ１７２においてＣＰＵ１４は、Ｓ１５４で取得した領域情報ＩＤ１０２に対応する領域情報１０３が、「ロック領域情報」であるか否かを判断する。「ロック領域情報」ではない場合（Ｓ１７２：ＮＯ）にはＳ１１４（図２）へ戻り、「ロック領域情報」である場合（Ｓ１７２：ＹＥＳ）にはＳ１７４へ進む。Ｓ１７４において、ＣＰＵ１４は、第２タイマ４２をクリアして、時間計測を開始する。Ｓ１７６において、ＣＰＵ１４は、ロック領域Ａ１への座標入力が終了したか否かを判断する。即ち、パネル５０に接触している接触子（例：ユーザの指先）が、パネル５０から離反されたか否かが判断される。座標入力が終了していない場合（Ｓ１７６：ＮＯ）にはＳ１７６へ戻り、終了した場合（Ｓ１７６：ＹＥＳ）にはＳ１７８へ進む。
【００５２】
Ｓ１７８において、ＣＰＵ１４は、ロック領域Ａ１への座標入力が長押し時間（３秒）以上行われたか否かを判断する。具体的には、第２タイマ４２が計測した時間が長押し時間（３秒）以上であるか否かを判断する。第２タイマ４２の計測時間が長押し時間（３秒）以上である場合（Ｓ１７８：ＹＥＳ）には、指示座標が所定の入力態様（長押し）で入力されたと判断され、Ｓ１８０へ進む。
【００５３】
Ｓ１８０においてＣＰＵ１４は、現在表示中の画面が、画面ロックされているか否かを判断する。具体的な判断方法は、Ｓ１２０で説明した方法と同様であるため、説明を省略する。画面ロックされていない場合（Ｓ１８０：ＮＯ）にはＳ１８２へ進む。Ｓ１８２において、ＣＰＵ１４は、画面ロックを実行する。具体的には、現在表示中の画面の画面情報ＩＤ１０１の欄（テーブルＴＢ１）において、リセット設定１０８を「画面ロック有り状態」に切り替える。Ｓ１８３において、ＣＰＵ１４は、ロック領域Ａ１に報知画像Ｇ１を表示する。そしてＳ１１４（図２）へ戻る。
【００５４】
一方、Ｓ１８０において、画面ロックされている場合（Ｓ１８０：ＹＥＳ）にはＳ１８４へ進む。Ｓ１８４においてＣＰＵ１４は、画面ロックを解除する。Ｓ１８５において、ＣＰＵ１４は、ロック領域Ａ１に表示されていた報知画像Ｇ１を消去する。そしてＳ１１４（図２）へ戻る。
【００５５】
＜動作説明例＞
多機能機１０の第１の動作例を説明する。第１の動作例では、ロック領域が長押しされる場合を説明する。例として、図５に示すテーブルＴＢ１を用いる場合を説明する。また、図６〜図８の画面が表示される場合を説明する。また、リセット時間が５００秒、長押し時間が３秒、である場合を説明する。
【００５６】
図２のフローが開始されると、画面情報ＩＤ１０１＝「１」の欄のホーム画面設定１０９が「ホーム画面」に設定されているため（図５、領域Ｒ２）、画面情報ＩＤ１０１＝「１」が、表示実行画面ＩＤとしてＲＡＭ３０に記憶される（Ｓ１１０）。画面情報ＩＤ１０１＝「１」に対応するホーム画面Ｐ１（図６）が、パネル５０に表示される（Ｓ１１２）。第１タイマ４１が、リセット時間（５００秒）からのカウントダウンを開始する（Ｓ１１４）。
【００５７】
ここで、メニューボタンＢ３（図６）がタッチされる場合の動作例を説明する。パネル５０にタッチ入力が行われたため（Ｓ１１６：ＹＥＳ）、タッチ入力が行われた位置に応じた指示座標が取得される（Ｓ１５２）。Ｓ１５２で取得した指示座標に対応する、領域情報ＩＤ１０２＝「３」が取得される（Ｓ１５４：ＹＥＳ）。領域情報ＩＤ１０２＝「３」に対応する領域情報１０３が「ボタン画像情報」であり（Ｓ１５６：ＹＥＳ）、領域情報１０２＝「３」の欄の遷移先画面情報ＩＤ１０５が「２」となっているため（図５、領域Ｒ１）、遷移先の画面情報ＩＤ１０１＝「２」が記憶されていると判断される（Ｓ１５８：ＹＥＳ）。ＲＡＭ３０に記憶される表示実行画面ＩＤが、タッチされたメニューボタンＢ３に関連付けられていた画面情報ＩＤ１０１＝「２」に設定される（Ｓ１６０）。現在表示中のホーム画面Ｐ１が画面ロックされていないため（図５、領域Ｒ３）（Ｓ１６４：ＮＯ）、パネル５０に表示される画面が、画面情報ＩＤ１０１＝「２」に対応するメニュー画面Ｐ２（図７）に遷移する（Ｓ１１２）。第１タイマ４１のリセット時間が、５００秒に戻される（Ｓ１１４）。
【００５８】
次に、画面ロックされていない画面において、ロック領域Ａ１（図７）が３秒以上長押しされる場合の動作例を説明する。パネル５０にタッチ入力が行われたため（Ｓ１１６：ＹＥＳ）、タッチ入力が行われた位置に応じた指示座標が取得される（Ｓ１５２）。Ｓ１５２で取得した指示座標に対応する、領域情報ＩＤ１０２＝「７」が取得される（Ｓ１５４：ＹＥＳ）。領域情報ＩＤ１０２＝「７」に対応する領域情報１０３が「ロック領域情報」であるため（Ｓ１５６：ＮＯ、Ｓ１７２：ＹＥＳ）、第２タイマ４２で時間計測が開始される（Ｓ１７４）。ロック領域Ａ１へのタッチが終了すると（Ｓ１７６：ＹＥＳ）、座標入力が長押し時間（３秒）以上行われており（Ｓ１７８：ＹＥＳ）、現在表示中の画面が画面ロックされていないため（図５、領域Ｒ４）（Ｓ１８０：ＮＯ）、画面ロックを実行する（Ｓ１８２）。具体的には、現在表示中の画面の画面情報ＩＤ１０１＝「２」の欄（図５）において、リセット設定１０８（領域Ｒ４）を「画面ロック無し状態」から「画面ロック有り状態」に切り替える。また、図８に示すように、ロック領域Ａ１に報知画像Ｇ１を表示する（Ｓ１８３）。
【００５９】
また、画面ロックされている画面において、ロック領域Ａ１の報知画像Ｇ１（図８）が３秒以上長押しされる場合の動作例を説明する。なおＳ１１６からＳ１７６までのフローは、前述した、画面ロックされていない画面においてロック領域Ａ１（図７）が３秒以上長押しされる場合のフローと同様であるため、説明を省略する。ロック領域Ａ１の報知画像Ｇ１へのタッチが終了すると（Ｓ１７６：ＹＥＳ）、座標入力が長押し時間（３秒）以上行われており（Ｓ１７８：ＹＥＳ）、現在表示中の画面が画面ロックされているため（Ｓ１８０：ＹＥＳ）、画面ロックを解除する（Ｓ１８４）。具体的には、現在表示中の画面の画面情報ＩＤ１０１＝「２」の欄（図５）において、リセット設定１０８を「画面ロック有り状態」から「画面ロック無し状態」に切り替える。また、図７に示すように、ロック領域Ａ１に表示されていた報知画像Ｇ１を消去する（Ｓ１８５）。
【００６０】
多機能機１０の第２の動作例を説明する。第２の動作例では、表示リセット処理が行われる場合を説明する。例として、図５に示すテーブルＴＢ１を用いる場合を説明する。また、図７および図９の画面が表示される場合を説明する。また、リセット時間が５００秒、報知開始時間が６０秒、である場合を説明する。パネル５０に、画面情報ＩＤ１０１＝「２」に対応するメニュー画面Ｐ２（図７）が表示された時点からの動作例を説明する。
【００６１】
メニュー画面Ｐ２（図７）が表示されると（Ｓ１１２）、第１タイマ４１が、リセット時間（５００秒）からのカウントダウンを開始する（Ｓ１１４）。パネル５０にタッチ入力が行われておらず（Ｓ１１６：ＮＯ）、メニュー画面Ｐ２は表示リセット処理の対象の画面であるため（図５、領域Ｒ５）（Ｓ１１８：ＹＥＳ）、メニュー画面Ｐ２が画面ロックされているか否かが判断される（Ｓ１２０）。メニュー画面Ｐ２が画面ロックされていないため（図５、領域Ｒ４）（Ｓ１２０：ＮＯ）、第１タイマ４１の残り時間が報知開始時間（６０秒）よりも少ないか否かを判断する（Ｓ１２４）。
【００６２】
Ｓ１１６〜Ｓ１２４の処理がループ処理されることで時間が経過し、メニュー画面Ｐ２のパネル５０への表示が開始されてから４４０秒が経過すると、第１タイマ４１の残り時間が報知開始時間（６０秒）よりも少なくなり（Ｓ１２４：ＹＥＳ）、図９に示すようにロック領域Ａ１に時間表示バーＧ２が表示される（Ｓ１２６）。時間表示バーＧ２は、第１タイマ４１の残り時間に応じてバーの長さが変化するように表示される。
【００６３】
Ｓ１１６〜Ｓ１３２の処理がループ処理されることで時間が経過し、第１タイマ４１の残存時間が０秒になると（Ｓ１３２：ＹＥＳ）、ＲＡＭ３０に記憶される表示実行画面ＩＤを、ホーム画面の画面情報ＩＤ１０１に設定する（Ｓ１３４）。パネル５０に表示される画面が、画面情報ＩＤ１０１＝「１」に対応するＰ１（図６）にリセットされる（Ｓ１１２）。
【００６４】
＜効果＞
本実施例に係る多機能機１０の効果を説明する。本願に記載の多機能機１０では、リセット設定１０８が表示リセット処理を実行する「画面ロック無し状態」である場合に、ロック領域Ａ１に３秒以上タッチ入力を行うことで、表示リセット処理を実行しない「画面ロック有り状態」にリセット設定１０８を変更することができる（Ｓ１８２）。また、リセット設定１０８が「画面ロック有り状態」である場合に、ロック領域Ａ１に３秒以上タッチ入力を行うことで、リセット設定１０８を「画面ロック無し状態」に設定することができる（Ｓ１８４）。これにより、リセット設定１０８の設定内容を容易に変更することができるため、ユーザの利便性を向上させることができる。
【００６５】
本願に記載の多機能機１０では、リセット設定１０８が「画面ロック有り状態」である期間中において、画面ロック有りである旨を報知する報知画像Ｇ１がロック領域Ａ１に表示される（Ｓ１８３）。これにより、画面ロックの有無をユーザに認識させることができるため、ユーザの利便性を向上させることができる。
【００６６】
本願に記載の多機能機１０では、リセット設定１０８が表示リセット処理を実行しない「画面ロック有り状態」に設定されている場合に（Ｓ１６４：Ｙ）、現在表示されている画面と別の画面を表示させる操作が行われると（Ｓ１５８：Ｙ）、リセット設定１０８を「画面ロック無し状態」に変更する（Ｓ１６６）とともに、報知画像Ｇ１のロック領域Ａ１への表示を終了する（Ｓ１６８）。すなわち、画面ロックされている画面を他の画面に遷移させることをトリガとして、遷移後の画面を「画面ロック無し状態」に自動的に復帰させることができる。これにより、パネル５０に表示される画面が、画面ロックされ続けてしまう事態を防止することができる。
【００６７】
本願に記載の多機能機１０では、ロック領域Ａ１に３秒以上タッチ入力を行うことで（Ｓ１７８：ＹＥＳ）、現在表示中の画面を、画面ロック無し状態と画面ロック有り状態との間で切り替えることができる。これにより、ロック領域Ａ１に誤ってタッチ入力が行われてしまった場合に、画面ロックがユーザの意図に反した状態に設定されてしまう事態を防止することができる。
【００６８】
本願に記載の多機能機１０では、表示リセット処理が実行されるまでの残存時間を示す時間表示バーを、ロック領域に表示させることができる。これにより、残存時間を視覚的にユーザに認識させることができるため、ユーザの利便性を高めることができる。
【００６９】
本願に記載の多機能機１０では、ロック領域は、図７に示すように、矩形形状のメニュー画面Ｐ２の右上隅部に位置している。よって、パネル５０の表示画面のうち、使用頻度が低い領域をロック領域として使用することができるため、パネル５０の表示領域を有効利用することが可能となる。
【００７０】
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成するものであり、そのうちの一つの目的を達成すること自体で技術的有用性を持つものである。以下に変形例を示す。
【００７１】
＜変形例＞
多機能機１０は、第１タイマ４１の残存時間の変更入力を受け付けるユーザインターフェースを備えるとしてもよい。例えば、Ｓ１２６においてロック領域Ａ１に表示される時間表示バーＧ２（図９）を用いて、第１タイマ４１の残存時間の変更入力を受け付けても良い。この場合、第１タイマ４１のカウントダウンの進行中に、時間表示バーＧ２（ロック領域Ａ１）への座標入力が長押し時間（３秒）以上行われた場合には、第１タイマ４１のカウントダウンを停止するとしても良い。また、第１タイマ４１のカウントダウンの停止中に、時間表示バーＧ２（ロック領域Ａ１）への座標入力が長押し時間（３秒）以上行われた場合には、第１タイマ４１のカウントダウンを再開するとしても良い。また、指示座標がロック領域Ａ１で検出されるとともに、検出された指示座標の移動（ドラッグ）が検出された場合に、指示座標の移動方向が予め定められた第１の所定方向（例：右方向）である場合には、指示座標の移動距離に応じて第１タイマ４１の残存時間を減少させてもよい。また、指示座標の移動方向が第１の所定方向の反対方向である第２の所定方向（例：左方向）である場合には、指示座標の移動距離に応じて第１タイマ４１の残存時間を増加させてもよい。これにより、時間表示バーＧ２を長押し時間以上タッチし続ける（長押しする）という直感的な操作により、表示リセット処理が実行されるまでの残存時間の進行を停止／再開することが可能となる。また、時間表示バーＧ２をタッチしたまま移動させる（ドラッグ）という直感的な操作により、残存時間を変更することが可能となる。よって、ユーザの利便性を高めることができる。
【００７２】
第１タイマ４１の残存時間のパネル５０への表示形態は、時間表示バーＧ２（図９）に限られず、各種の表示形態を用いることが可能である。例えば、残存時間を数字画像で表示してもよい。また、残存時間を表示している数字画像に長押し操作をすることで、残存時間の進行を停止／再開するとしてもよい。また、残存時間を表示している数字画像にドラッグ操作をすることで、残存時間の変更の入力を受け付けるとしてもよい。
【００７３】
また、第１タイマ４１の残存時間のパネル５０への表示は、各種の記号を用いて行っても良い。例えば、ドット画像を点滅表示することにより第１タイマ４１のカウントダウンが進行中であることを報知し、ドットを常に表示することにより第１タイマ４１のカウントダウンが停止中であることを報知してもよい。また、ドット画像が表示されないことにより、現在表示されている画面が、表示リセット処理を実行しない「画面ロック有り状態」であることを報知してもよい。このような記号を用いることにより、より少ない表示領域で、残存時間をユーザに報知することができる。
【００７４】
時間表示バーの表示態様は、様々な態様であってよい。例えば、時間表示バーを、幅のない１本の線で表示してもよい。これにより、時間表示バーを表示するために必要な表示領域を小さくすることができる。
【００７５】
時間表示バーを表示させる領域はロック領域に限られず、ボタン画像が表示されていない領域であれば何れの領域に表示してもよい。例えば、図９のメニュー画面Ｐ２に示すように、ボタン画像Ｂ４〜Ｂ６の何れにも重複しない、画面の下方のバー表示領域Ａ２に、時間表示バーを表示させてもよい。
【００７６】
画面ロックの実行および解除を行うための、指示座標の所定の入力態様（Ｓ１７４−Ｓ１７８）は、長押しの入力態様に限られず、各種の入力態様であってよい。例えば、ダブルタッチやフリックなどの入力態様であってもよい。
【００７７】
本願の技術の特徴は、パネル５０の表示形態に関する点にある。よって、本願の技術の適用範囲は多機能機１０に限定されず、表示画面を有する各種の装置（携帯電話、ノートＰＣなど）に適用可能である。
【００７８】
なお、ＲＯＭ１６やＮＶＲＡＭ４０に記憶されている各種の情報は、外部記憶装置に記憶されるとしてもよい。そして外部記憶装置から各種の情報が読み出され、ＲＡＭ３０に一旦記憶された上で、各種の処理が行なわれるとしてもよい。外部記憶装置の例としては、メモリーカードや外付のハードディスクなどが挙げられる。
【００７９】
なお、パネル５０は表示手段の一例である。座標検出部５１は座標検出手段の一例である。領域情報１０３はボタン画像情報の一例である。画面情報ＩＤ１０１は画面情報の一例である。テーブルＴＢ１は記憶部の一例である。Ｓ１１２を実行するＣＰＵ１４は第１表示制御手段の一例である。「ウェブ」ボタンＢ１〜「ネットワーク」ボタンＢ６はボタン画像の一例である。ホーム画面設定１０９は特定画面情報の一例である。リセット時間は第１所定時間の一例である。ホーム画面Ｐ１は特定画面の一例である。Ｓ１３４を実行するＣＰＵ１４は第２表示制御手段の一例である。長押しは所定の入力態様の一例である。ロック領域Ａ１は特定領域の一例である。長押し時間は第２所定時間の一例である。時間表示バーＧ２は残存時間画像の一例である。Ｓ１２６を実行するＣＰＵ１４は第３表示制御手段の一例である。
【符号の説明】
【００８０】
１０：多機能機、５０：パネル、５１：座標検出部、Ａ１：ロック領域、Ｂ１：「ウェブ」ボタン、Ｂ２：「ディスク」ボタン、Ｂ３：「メニュー」ボタン、ＴＢ１：テーブル、Ｐ１：ホーム画面、Ｐ２：メニュー画面
【図１】
0005961984.tif 000002
【図２】
0005961984.tif 000003
【図３】
0005961984.tif 000004
【図４】
0005961984.tif 000005
【図５】
0005961984.tif 000006
【図６】
0005961984.tif 000007
【図７】
0005961984.tif 000008
【図８】
0005961984.tif 000009
【図９】
0005961984.tif 000010